(57)【要約】【課題】パンチングパネルをプレスで孔加工又パンチングパネルをレーザで網加工したパンチングパネル網１を四方枠に差込溝２を押し出し成形で設けたことで防犯に強く防火性にも優れ塗装又絵、洗浄が容易で組立が差込溝２に差し込むだけで簡単で網１の交換が容易で美観的に優れている差込式パンチングパネル網戸一体枠セットを提供する。【解決手段】パンチングパネルを使用し上部に上框３を設け下部には下框３を設け上部と下部の間の間隔に中桟５設け縦部に内部左縦框９と上框３下框３’中桟５を互いに嵌合出来る形状に押し出し成形された差込溝にパンチングパネル網１を差し込み内部右縦框９’と上框３下框３’中桟５を差込み嵌合わせ一体構造にしたことを特徴とする。【選択図】　図４ID=000014 HE=076 WI=070 LX=0000 LY=0000>
0003097186.tif 000002
【実用新案登録請求の範囲】
【請求項１】
パンチングパネル網（１）を設け、四方枠に差込溝（２）を設け、パンチングパネル網（１）と四方枠に差込溝（２）を装着した差込式パンチングパネル網戸一体枠セット。
【請求項２】
アルミニューム、銅、真鍮、ステンレス、合成樹脂、から成ることに特徴である請求項１に記載された差込式パンチングパネル網戸一体枠セット。
【請求項３】
パンチングパネル孔は丸孔、角孔、長孔、は千鳥型と平列型と装飾型とインターウェーブ型で形成されていることを特徴である請求項１または請求項２に記載された差込式パンチングパネル網戸一体枠セット。
【請求項４】
パンチングパネル網１と四方枠にアルマイト処理また塗装、絵模様を書くことが出来ることを特徴である請求項１または請求項２に記載された差込式パンチングパネル網戸一体枠セット。
【請求項５】
縦部に裏面左縦框９表面右縦框１０と裏面縦框左９’表面左縦框１０’に上部に上框３と下部に下框３’を組立た枠を四方枠と記載する四方枠には差込溝２を設けるように押し出し成形されていることを特徴である請求項１または請求項２に記載された差込式パンチングパネル網戸一体枠セット。
【請求項６】
強度を増す為に中間に表面補強中桟１５を設け又表面補強左縦框２２’と表面右補強縦框２２に表面側に補強を設けるように成形されていることが特徴である請求項１または請求項２に記載された差込式パンチングパネル網戸一体枠セット。
【請求項７】
パンチングパネル網１と四方枠は防火性に優れていることを特徴である請求項１請求項２請求項５に記載された差込式パンチングパネル網戸一体枠セット。
【請求項８】
強度を増為に中桟５，１５、を所定の間隔で格子状に設けることで防犯性に優れていることを特徴である請求項１請求項２請求項５請求項６に記載された差込式パンチングパネル網戸一体枠セット。
【請求項９】
パンチングパネル網戸一体枠セットは網戸、窓、テラス窓、ドアー、温室窓、温室ドアー、温室換気窓、バルコニー用手摺、面格子、溜め桝かご、鳥かご、虫かご、鳥ハウス，犬小屋、少なくとも四方に囲まれて差込溝２を設け差込式パンチングパネル網戸一体枠セットされていることを特徴とする。
【考案の詳細な説明】
【０００１】
【考案の属する技術分野】
この考案は、パンチングパネルを網状に孔をあけ四方枠に差込溝（２）を設けた差込式パンチングパネル網戸一体セットに関するものである。
【０００２】
【従来の技術】
従来は、表面左縦框２０’と表面右縦框２０に上部に上框１３下部に下框１３’を組み立て図１１に成る上からポリプロピレン網１１を上から押さえ塩化ビニールゴム１２で押さえたアルミ網戸があった。
【０００３】
【考案が解決しようとする課題】
従来は次のような欠点があった。網戸枠を組立後に網戸枠を図１２の表面を上にして上からポリプロピレン網１１をかぶせ片方側〜ポリプロピレン網１１を押さえ塩化ビニールゴム１２で押さえ込みながら片方の手で引っ張る時にたるみ、捻れ、破れないように張る、張りすぎると塩化ビニールゴム１２が外れてくるから外れないように手加減が必要で押さえたときに、かどでポリプロピレン網１１を破らないよう力加減が難しく塩化ビニールゴム１２で四方押さえ、張り終わったら四方に出たポリプロピレン網１１の端をナイフ等で切り落とす、網戸枠まで切り傷を入れない用に切りとることも難しく、完成後塩化ビニールゴム１２の伸びちじみで塩化ビニールゴム１２を引っ張りすぎて、のびたり垂れたり冬場に張ると夏に成るとのびすぎて外れてくる、夏場に張ると冬に成ると縮み塩化ビニールゴム１２が垂れてくる、塩化ビニールゴム１２を押さえすぎても、ポリプロピレン網１１を張り過ぎてもポリプロピレン網１１が破れやすく煙草の火でも焼けポリプロピレン網１１が外れ安い為に手間が掛かり張るのに熟練工が必要で洗浄が難しく定期的にポリプロピレン網１１張り替えと塩化ビニールゴム１２の交換が必要でポリプロピレン網１１を泥棒が簡単に破り進入しやすく塩化ビニールゴム１２、ポリプロピレン網の処分にも公害が発生する為に問題点を有していた。本考案は、これらの欠点を除くためになされたものである。
【０００４】
【課題を解決するための手段】
上記目的を達成するために、ポリプロピレン網１１の代わりにパンチングパネル網１を使用し四方枠に差込溝設け上框３と下框３’の間に所定の間隔で中桟５，１５設けパンチングパネル網１を差込みタッピングビスで組立てる。以上のような構成よりなる差込式パンチング網戸一体セットである。
【０００５】
【考案の実施の形態】
以下、本案の実施の形態にについて説明する。
パンチングパネル網１を設け、左右に縦框に差込溝２を設け、上部の上框３に差込溝２を設け、下部の下框３’に差込溝２を設け、上框３下框３’の間に所定の間隔で中桟５、１５を設け又差込溝２を設けパンチングパネル網１を差込溝２に差し込んで差込式パンチングパネル網戸一体セットが組立できる。
【０００６】
【実施例】
図４は、本考案の一実施例で上框３、下框３’、中桟５、左右縦框の形状に差込溝２を設けるように成形された事が特徴であり、長さは４ｍのものを作成、次ぎに網戸の必要な長さに切断後上部に上框３と下部に下框３’を置き上框３に振れ止め７をはめ込み下框３’には戸車８を取付、上下の間の中心に中桟５を入れ左右縦框置き図５のパンチングパネル網１を所定の寸法に切断後、差込溝２に差し込んだ縦断面図である。
【０００７】
図５は、本考案は、一実施例で網を板状にした処に特徴があり、アルミパネルを例として角孔平列型でパンチング加工するパンチング孔６は１，０ｍｍで加工されたパンチングパネル網１を所定の寸法に切断加工された、広い開口率と強度と防犯にも防火にも得ることが出来た。
【０００８】
図６は、本考案の一実施例で特徴は中桟１５、縦框に強度を増す為に補強を設け一体形状に成形した部材を所定の寸法に切断後、補強縦断面図である。図７は、本考案は、一実施例で左右縦框を所定の長さに切断後、防虫ゴム１４を裏面の左右縦框に挿入溝が設けているので挿入すると虫、等が入らないように挿入する、図５のパンチングパネル網４を所定の寸法に切断後、差込溝２に簡単に差し込んだ横断面図である。
【０００９】
図８は、本考案の一実施例で特徴は左右縦框に強度を増す為に補強を設け一体形状にした形材を所定の寸法に切断後、防虫ゴム１４を溝に挿入後に図５のパンチングパネル網１を差込溝２に差し込んだ補強横断面図である。
【００１０】
図１は本考案の一実施例で図４、図５、図７、で示すように特徴は組立すると延焼にも優れ防犯にも強く洗う事も容易で絵も簡単に書ける色も多数の色にする事もできた組立が簡単な表面図である。
【００１１】
図２は、本考案の一実施例で図１で示す特徴と図７で示す通りの裏面図である。
【００１２】
図３は、本考案の一実施例で図４，図５、図６、図８で示すように簡単に組み立てられた、強度も増し内部に侵入が困難で延焼しにくく防火にも優れていた補強された表面図である。
【００１３】
【考案の効果】
本案は以上のような構造で組み立てるときに四方枠の上框３と下框３’の間に所定の間隔で差込溝２にパンチングパネル網１を差込み組立る防犯に強く防も優れ洗浄も簡単で塗装、絵も書けるパンチングパネル網１の交換が簡単で差込溝２を設けたことで熟練工は必要なく女性でも差し込むだけで簡単に組立る事が出来る又美観的にも優れている。
【図面の簡単な説明】
【図１】本考案の差込式パンチングパネル網戸一体枠セットは縦部に左右縦框１０’、１０を上部に上框３を下部に下框３’を設け上框３と下框３’の間の間隔に中桟５が設けられたパンチングパネル網１を四方枠の差込溝２に差込組立された、パンチングパネル網戸一体枠セットの表面図である。
【図２】本考案の差込式パンチングパネル網戸一体セットは縦部に左右縦框９、９’を上部に上框３を下部に下框３’を設け上框３と下框３’の間の間隔に中桟５を設けられたパンチングパネル網１を四方枠の差込溝２に差込組立された、パンチングパネル網戸一体枠セットの裏面図である。
【図３】本考案の差込式パンチングパネル網戸一体枠セットは縦部に左右補強縦框２２’、２２を上部に上框３を下部に下框３’を設け上框３とした框の間の間隔に中桟１５を設けられたパンチングパネル網１を四方枠の差込溝２に差込組立された、パンチングパネル網戸一体枠の補強表面図である。
【図４】本考案の特徴の差込溝２付き上框３、中桟５，下框３’に、パンチングパネル網１付きＡ−Ｂ縦断面図である。
【図５】本考案の特徴のパンチングパネル網１の「裏面図は表面図と同一であるため省略する。」表面図である。
【図６】本考案の強度と防犯に強く差込溝２付き上框３、補強中桟１５下框３’にパンチングパネル網１付きＥ−Ｆ補強横断面図である。
【図７】本考案の差込溝付き左右縦框９，９’にパンチングパネル網１付き横断面図である。
【図８】本考案の強度と防犯に強く差込溝２付き左右補強縦框２２，２２’のＧ−Ｈ補強横断面図である。
【図９】従来型のアルミ網戸で上框１３、と下框１３’にポリプロピレン網１１を溝に入れ塩化ビニールゴム１２で押さえポリプロピレン網１１を張ったＩ−Ｊ縦断面図である。
【図１０】従来型のアルミ網戸で左右縦框１９、１９’にポリプロピレン網１１を溝に入れ塩化ビニールゴム１２で押さえながらポリプロピレン網１１を張った捻れたりあみが破れたり外れたりしたＫ−Ｌ横断面図である。
【図１１】従来型のアルミ網戸の上框１３、下框１３’、左右縦框１９，１９’を組立後溝に塩化ビニールゴム１２でポリプロピレン網１１を押さえポリプロピレン網１１を張り組立られた裏面図である。
【図１２】従来型のアルミ網戸の上框１３、下框１３’、左右縦框２０、２０’を組立後溝に塩化ビニールゴム１２でポリプロピレン網１１を押さえポリプロピレン網１１を張り四方枠よりはみ出したポリプロピレン網１１を切り取り組立られた表面図である。
【符号の説明】
１　パンチングパネル網
２　内外左右縦框と上框と下框の中間に中桟に設けた差込溝
３　上框
３’下框
４　タッピングビス孔
５　中桟
６　パンチングパネルの孔
７　振れ止め
８　戸車
９　裏面左縦框
９’裏面右縦框
１０　表面右縦框
１０’表面左縦框
１１　ポリプロピレン網
１２　塩化ビニールゴム
１３　従来型上框
１３’従来型下框
１４　防虫ゴム
１５　裏面補強中桟
１６　従来型中桟
１９　裏面左縦框
１９’裏面右縦框
２０　表面右縦框
２０’表面左縦框
２１　裏面補強左縦框
２１’裏面補強右縦框
２２　表面補強右縦框
２２’表面補強左縦框
【図１】
0003097186.tif 000003
【図２】
0003097186.tif 000004
【図３】
0003097186.tif 000005
【図４】
0003097186.tif 000006
【図５】
0003097186.tif 000007
【図６】
0003097186.tif 000008
【図７】
0003097186.tif 000009
【図８】
0003097186.tif 000010
【図９】
0003097186.tif 000011
【図１０】
0003097186.tif 000012
【図１１】
0003097186.tif 000013
【図１２】
0003097186.tif 000014
【手続補正書】
【提出日】平成15年5月23日(2003.5.23)
【手続補正１】
【補正対象書類名】明細書
【補正対象項目名】「実用新案登録請求の範囲」
【補正方法】変更
【補正の内容】
【実用新案登録請求の範囲】
【請求項１】
パンチングパネル網１は板状のパネルに虫、蚊等が入らぬように孔加工し「左右縦框に上框３、下框３’、中桟にパンチングパネル網１がはめ込み安い為差込溝２を設け、左右縦框、上框と下框と中桟を差込溝２と一体形状に押し出し成形されたこととする、と共に、左右縦框９，９’補強左右縦框１８’、１８上框３と下框３’の間に所定の間隔で中桟５補強中桟１５を枠を四方枠」と呼ぶ「四方枠にパンチングパネル網１を差込溝２に差し込んで四方枠とパンチングパネル網１が一体に組み立てられたことを特徴とする、差込式パンチングパネル網戸一体枠セット。
【請求項２】
アルミニューム、銅、真鍮、ステンレス、合成樹脂から成ることに特徴とする、請求項１に記載された差込式パンチングパネル網戸一体枠セット。
【請求項３】
パンチングパネル孔は丸孔、角孔、長孔、は千鳥型と平列型と装飾型とインターウェーブ型で形成されていることを特徴とする、請求項１〜請求項２に記載された差込式パンチングパネル網戸一体枠セット。
【請求項４】
パンチングパネル網１と四方枠にアルマイト処理また塗装、絵模様を書くことが出来ることを特徴とする、請求項１〜請求項３記載された差込式パンチングパネル網戸一体枠セット。
【請求項５】
縦部に背面左縦框９正面右縦框１０に上部に上框３と上部と下部の間に所定の間隔で中桟５を格子状に設け、下部に下框３’に四方枠に一体形状押し出し成形された差込溝２にパンチングパネル網１を差込み組み立てることで外部からの侵入を防ぐことで防犯にも適していることを特徴とする、請求項１〜請求項４に記載された差込式パンチングパネル網戸一体枠セット。
【請求項６】
強度を増す為に中間に正面補強中桟１５を設け又正面補強左縦框１８’と正面右補強縦框１８に正面側に補強を設け押し出し成形されていることを特徴とする、請求項１〜請求項５に記載された差込式パンチングパネル網戸一体枠セット。
【請求項７】
パンチングパネル網１と四方枠はアルミ製、ステンレス製で出来ている為に防火性に優れていることを特徴とする、請求項１〜請求項６に記載された差込式パンチングパネル網戸一体枠セット。
【請求項８】
強度を増為に中桟１５を所定の間隔で格子状に設けることで防犯性に優れていることを特徴とする、請求項１〜請求項７に記載された差込式パンチングパネル網戸一体枠セット。
【請求項９】
パンチングパネル網戸一体枠セットは網戸、窓、テラス窓、ドアー、温室窓、温室ドアー、温室換気窓、バルコニー用手摺、面格子、溜め桝かご、鳥かご、虫かご、鳥小屋、犬小屋少なくとも四方に囲まれている容器等にパンチングパネル網戸一体枠セットを四方に囲まれている容器等にはめ込みセットする事で鳥小屋等では蛇、イタチ、等の侵入を防ぐ又犬小屋に蚊の侵入を防ぐ犬の爪等で破れにくいことが特徴とする、請求項１〜請求項８に記載された差込式パンチングパネル網戸一体枠セット。
【手続補正２】
【補正対象書類名】明細書
【補正対象項目名】「図面の簡単な説明」
【補正方法】変更
【補正の内容】
【図面の簡単な説明】
【図１】本考案の実施例を示す正面図は、縦部に図７の左縦框１０’右縦框１０上部に図４の上框３を下部に下框３’を上框３と下框３’の間の間隔に中桟５に一体形状で押し出し成形された差込溝２を所定の長さに切断加工し、図５をパンチングパネル網１を所定の寸法に切断後四方枠と一体に成った差込溝２に差込み組立た、パンチングパネル網戸一体枠セットがセットされている正面図である。
【図２】本考案の実施例を示す背面図は、縦部に図７の左縦框９、右縦框９’を上部に図４の上框３を下部に下框３’を上框３と下框３’の間の間隔に中桟５に一体形状で押し出し成形された差込溝２を所定の長さに切断加工し、図５のパンチングパネル網１を所定の寸法に切断後四方枠と一体に成った差込溝２に差し込んだパンチングパネル網戸一体枠セットがセットされている背面図である。
【図３】本考案の実施例を示す正面図は、縦部に図８の左補強縦框１８’、右補強縦框１８を上部に図６の上框３を下部に下框３’の間の間隔に補強中桟１５に一体形状で押し出し成形された差込溝２を所定の長さに切断加工し、図５パンチングパネル網１を所定の寸法に切断後に四方枠と一体に成った差込溝２に差し込んだパンチングパネル網戸一体枠セットがセットされた補強正面図である。
【図４】本考案の実施例を示すＡ−Ａ’縦断面図は、上框３、中桟５，下框３’に一体形状で押し出し成形された差込溝２を所定の長さに切断加工し、図５のパンチングパネル網１を所定の寸法に切断後に四方枠と一体に成った差込溝２に差し込んだＡ−Ａ’縦断面図である。
【図５】本考案の実施例を示す正面図は背面図と同一であるため背面図を省略すると記載します、アルミパネルをプレスでパンチング加工又はレーザ加工された孔６に図５のパンチングパネル網１を所定の寸法に切断された正面図である。
【図６】本考案の実施例を示すＣ−Ｃ’補強縦断面図は、強度と防犯に強く上框３、補強中桟１５、下框３’に一体形状で押し出し成形された差込溝２を所定の長さに切断加工し、図５のパンチングパネル網１を所定の寸法に切断後に四方枠と一体に成った差込溝に差し込んだＣ−Ｃ’補強横断面図である。
【図７】本考案の実施例を示すＢ’−Ｂ横断面図は、縦部に左縦框９、右縦框９’に一体形状で押し出し成形された差込溝２を所定の長さに切断加工し図５パンチングパネル網１を所定の寸法に切断後に四方枠と一体に成った差込溝２に差し込んだＢ’−Ｂ横断面図である。
【図８】本考案の実施例を示すＤ’−Ｄ補強横断面図は、強度と防犯に強く左縦框１７、右縦框１７’に一体形状で押し出し成形されたと差込溝２を所定の長さに切断加工し図５のパンチングパネル網１を所定の寸法に切断後に四方枠と一体に成った差込溝２差し込んだＤ’−Ｄ補強横断面図である。
【図９】従来型のアルミ網戸を示すＥ−Ｅ’縦断面図は、上框１３、と下框１３’にポリプロピレン網１１を溝に入れ塩化ビニールゴム１２で押さえポリプロピレン網１１を張ったＥ−Ｅ’縦断面図である。
【図１０】従来型のアルミ網戸を示すＦ−Ｆ’横断面図は、左縦框１９、右縦框１９’にポリプロピレン網１１を２０、２０’側から溝に入れ塩化ビニールゴム１２を押さえながらポリプロピレン網１１を張ったＦ−Ｆ’横断面図である。
【図１１】従来型のアルミ網戸を示す背面図は、図９の上框１３、下框１３’図１０の左右縦框１９、１９’を組立後溝に塩化ビニールゴム１２でポリプロピレン網１１を押さえポリプロピレン網１１を張り組立られた背面図である。
【図１２】従来型のアルミ網戸を示す正面図は、図９の上框１３、下框１３’図１０の左右縦框１９，１９’を組立後溝に塩化ビニールゴム１２でポリプロピレン網１１を押さえポリプロピレン網１１を張り枠よりはみ出したポリプロピレン網１１を切り取り組み立てられた正面図である。


【手続補正３】
【補正対象書類名】明細書
【補正対象項目名】「符号の説明」
【補正方法】変更
【補正の内容】
【符号の説明】
１　　パンチングパネル網
２　　差込溝
３　　上框
３’　下框
４　　タッピングビス孔
５　　中桟
６　　パンチングパネルの孔
７　　振れ止め
８　　戸車
９　　背面左縦框
９’　背面右縦框
１０　　正面右縦框
１０’　正面左縦框
１１　　ポリプロピレン網
１２　　塩化ビニールゴム
１３　　従来型上框
１３’　従来型下框
１４　　防虫ゴム
１５　　正面補強中桟
１６　　従来型中桟
１７　　背面左縦框
１７’　背面右縦框
１８　　正面補強右縦框
１８’　正面補強左縦框
１９　　従来型背面左縦框
１９’　従来型背面右縦框
２０　　従来型正面右縦框
２０’　従来型正面左縦框


【手続補正４】
【補正対象書類名】図面
【補正対象項目名】全図
【補正方法】変更
【補正の内容】
【図１】
0003097186.tif 000015
【図２】
0003097186.tif 000016
【図３】
0003097186.tif 000017
【図４】
0003097186.tif 000018
【図５】
0003097186.tif 000019
【図６】
0003097186.tif 000020
【図７】
0003097186.tif 000021
【図８】
0003097186.tif 000022
【図９】
0003097186.tif 000023
【図１０】
0003097186.tif 000024
【図１１】
0003097186.tif 000025
【図１２】
0003097186.tif 000026